(57)【要約】【課題】  液体噴射装置の内部空間を浮遊するミスト化した液体を効率的に低減させる。【解決手段】  キャリッジ６１に駆動力を伝達するためのキャリッジベルト６４の外周面にインク吸収材６５を設ける。キャリッジベルト６４を双方向に回転させてキャリッジ６１を主走査方向Ｘへ往復動させることによって、接触帯電や剥離帯電によりキャリッジベルト６４に静電気が帯電する。キャリッジベルト６４に設けられたインク吸収材６５には、帯電したキャリッジベルト６４からの誘導帯電によって静電気が帯電する。インクジェットプリンタ５０の内部空間を浮遊するインクミストは、この帯電したインク吸収材６５の静電気に誘引されてインク吸収材６５に捕捉される。インク吸収材６５に捕捉されたインクミストは、そのままインク吸収材６５に吸収されるため、インク吸収材６５の内部にしっかりと保持される。【選択図】  図３
2010082966.tif 000002
【特許請求の範囲】
【請求項１】
被噴射材の液体噴射面に液体を噴射する液体噴射ヘッドと、
被噴射材に対して前記液体噴射ヘッドを相対的に走査させる走査手段と、
回転駆動力源の駆動力を前記走査手段にベルトで伝達する駆動力伝達機構と、を備えた液体噴射装置において、
当該液体噴射装置の内部空間を浮遊するミスト化した液体を吸収して保持するための液体吸収材が前記ベルトに設けられている、ことを特徴とした液体噴射装置。
【請求項２】
請求項１に記載の液体噴射装置において、前記液体吸収材のクリーニング手段を備えている、ことを特徴とした液体噴射装置。
【請求項３】
請求項１又は２に記載の液体噴射装置において、被噴射材の液体噴射面に液体を噴射する制御を実行する制御装置を備え、
前記制御装置は、被噴射材に対する液体噴射制御の終了後、前記ベルトを所定回転量だけ回転させる制御を実行する、ことを特徴とした液体噴射装置。
【請求項４】
被噴射材の液体噴射面に液体を噴射する液体噴射ヘッドと、
被噴射材に対して前記液体噴射ヘッドを相対的に走査させる走査手段と、
回転駆動力源の駆動力を前記走査手段にベルトで伝達する駆動力伝達機構と、を備えた液体噴射装置において、
前記ベルトに付着した液体を除去するためのベルトクリーニング手段と、
被噴射材の液体噴射面に液体を噴射する制御を実行する制御装置とを備え、
前記制御装置は、被噴射材に対する液体噴射制御の終了後、前記ベルトを所定回転量だけ回転させる制御を実行する、ことを特徴とした液体噴射装置。
【請求項５】
請求項３又は４に記載の液体噴射装置において、前記制御装置は、当該被噴射材に対する液体噴射制御のモードに基づいて前記所定回転量を増減調整する、ことを特徴とした液体噴射装置。
【請求項６】
請求項３又は４に記載の液体噴射装置において、前記制御装置は、当該被噴射材に対する液体噴射制御のモードに基づいて、前記ベルトを前記所定回転量だけ回転させる制御を実行する際の前記ベルトの回転速度を設定する、ことを特徴とした液体噴射装置。
【請求項７】
請求項３〜６のいずれか１項に記載の液体噴射装置において、前記制御装置は、当該液体噴射装置の電源ＯＦＦ操作を検出したときは、前記ベルトを前記所定回転量だけ回転させる制御を実行した後、当該液体噴射装置の電源ＯＦＦ制御を実行する、ことを特徴とした液体噴射装置。
【請求項８】
請求項７に記載の液体噴射装置において、前記制御装置は、当該液体噴射装置の電源ＯＦＦ操作を検出したときは、直近の被噴射材に対する液体噴射制御の終了後に実行した前記ベルトを回転させる制御時の回転量より多い回転量又はそのときの回転速度より速い回転速度で前記ベルトを回転させる制御を実行する、ことを特徴とした液体噴射装置。
【請求項９】
請求項７又は８に記載の液体噴射装置において、前記制御装置は、当該液体噴射装置の電源ＯＦＦ操作を検出したときに、直近の被噴射材に対する液体噴射制御の終了時から一定時間が経過している場合には、前記ベルトを回転させる制御を実行せずに当該液体噴射装置の電源ＯＦＦ制御を実行する、ことを特徴とした液体噴射装置。
【発明の詳細な説明】
【技術分野】
【０００１】
本発明は、被噴射材の液体噴射面に液体を噴射する液体噴射装置に関する。
【０００２】
ここで、液体噴射装置とは、記録ヘッド等の液体噴射ヘッドから記録紙等の被噴射材へインクを噴射して記録紙等への記録を実行するインクジェット式記録装置、複写機及びファクシミリ等に限らず、インクに代えて特定の用途に対応する液体を液体噴射ヘッドから被噴射材に噴射して、液体を被噴射材に付着させる装置を含む意味で用いる。  
また、液体噴射ヘッドとしては、前述した記録ヘッド以外に、液晶ディスプレイ等のカラーフィルタ製造に用いられる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料を噴射する試料噴射ヘッド等が挙げられる。
【背景技術】
【０００３】
被噴射材の液体噴射面に液体を噴射する液体噴射装置の一例としてインクジェットプリンタが公知である。例えばシリアルヘッド型インクジェットプリンタは、記録紙（被噴射材）の搬送方向と交差する方向へ往復動する記録ヘッドからインク（液体）を噴射して記録紙の記録面（液体噴射面）にドットを形成する動作と、前記搬送方向へ所定の搬送量で記録紙を搬送する動作とが交互に繰り返されることによって、記録紙の記録面に記録が実行される。このようなインクジェットプリンタは、記録ヘッドの往復動作や記録紙の搬送動作を高精度に制御して高精度な記録を実現することを目的として、記録ヘッドの移動量を検出するための公知のリニアエンコーダや記録紙の搬送量を検出するための公知のロータリエンコーダを備えているのが一般的である。
【０００４】
このような液体噴射装置においては、液体噴射ヘッドから被噴射材に噴射した液体の一部がミスト化して液体噴射装置内を浮遊することがある。例えばインクジェットプリンタにおいては、記録ヘッドから噴射したインクの一部がインクミストとなってプリンタの内部空間を浮遊する。このインクミストは、例えば記録紙に付着すると記録画質が低下する要因となる。また、リニアエンコーダやロータリエンコーダのスケールにインクミストが付着すると、スケールセンサによるスケールの読み取り精度が低下する虞がある。つまり、エンコーダのスケールに付着したインクミストは、記録ヘッドの移動量や記録紙の搬送量の検出精度が低下して記録精度が低下してしまう要因となる。
【０００５】
このインクミストを低減させることを目的とした従来技術の一例としては、記録ヘッドによるインク噴射領域の近傍に帯電部材を配設し、インクミストの極性と異なる極性で帯電部材を帯電させて、インク噴射領域で発生するインクミストを帯電部材の静電気で誘引して除去するインクジェットプリンタが公知である（例えば、特許文献１又は２を参照）。
【特許文献１】特開２００６−３３５５３１号公報
【特許文献２】特開２００６−３３５５３２号公報
【発明の開示】
【発明が解決しようとする課題】
【０００６】
しかしながら、上記従来技術において帯電部材に吸引されたインクミストは、その帯電部材に帯電した静電気による誘引力のみで帯電部材の表面に付着した状態となる。そのため、例えばプリンタ内部空間をキャリッジが往復動する際に生ずる気流や振動等によって、あるいは摩擦等で帯電した他のプリンタ構成要素や記録紙の静電気に誘引される等によって、帯電部材の表面に付着したインクミストの一部が帯電部材から離脱して、プリンタの内部空間に再飛散してしまう虞がある。このようなことから上記従来技術においては、液体噴射装置の内部空間を浮遊するミスト化した液体を効率的に低減させることができない虞がある。
【０００７】
本発明は、このような状況に鑑み成されたものであり、その課題は、液体噴射装置の内部空間を浮遊するミスト化した液体を効率的に低減させることにある。
【課題を解決するための手段】
【０００８】
上記課題を達成するため、本発明の第１の態様は、被噴射材の液体噴射面に液体を噴射する液体噴射ヘッドと、被噴射材に対して前記液体噴射ヘッドを相対的に走査させる走査手段と、回転駆動力源の駆動力を前記走査手段にベルトで伝達する駆動力伝達機構と、を備えた液体噴射装置において、当該液体噴射装置の内部空間を浮遊するミスト化した液体を吸収して保持するための液体吸収材が前記ベルトに設けられている、ことを特徴とした液体噴射装置である。
【０００９】
回転駆動力源の駆動力をベルトで伝達する駆動力伝達機構においては、ベルトが掛架されるプーリや回転体等とそのベルトとの間に生ずる接触帯電や剥離帯電によってベルトに静電気が帯電する。そして、帯電したベルトからの誘導帯電によって、そのベルトに設けられた液体吸収材にも静電気が帯電することとなる。したがって、液体噴射装置の内部空間を浮遊するミスト化した液体は、この帯電した液体吸収材の静電気に誘引されて液体吸収材に捕捉され、さらに、そのまま液体吸収材に吸収される。そのため、液体噴射装置の内部空間を浮遊するミスト化した液体は、ベルトの液体吸収材に捕捉された後、その液体吸収材の内部にしっかりと保持されることになる。このようにして本発明は、液体噴射装置の内部空間を浮遊するミスト化した液体を確実に捕捉して確実に保持することができるので、ミスト化した液体の再飛散を未然に防止することができる。
【００１０】
これにより本発明の第１の態様に記載の液体噴射装置によれば、液体噴射装置の内部空間を浮遊するミスト化した液体を効率的に低減させることができるという作用効果が得られる。
【００１１】
本発明の第２の態様は、前述した第１の態様に記載の液体噴射装置において、前記液体吸収材のクリーニング手段を備えている、ことを特徴とした液体噴射装置である。
【００１２】
液体吸収材の液体吸収性能や液体保持性能等は、液体吸収材に液体が蓄積されていくことによって徐々に低下していくことになる。このようなことから本発明においては、液体吸収材に蓄積された液体を除去して液体吸収材の液体吸収性能や液体保持性能等を回復させることが可能なクリーニング手段を設けるのが好ましい。それによって、液体吸収材の液体吸収性能や液体保持性能等を常に一定以上に維持することが可能になるので、ミスト化した液体の除去効率が低下してしまうことを未然に防止することが可能になる。
【００１３】
本発明の第３の態様は、前述した第１の態様又は第２の態様に記載の液体噴射装置において、被噴射材の液体噴射面に液体を噴射する制御を実行する制御装置を備え、前記制御装置は、被噴射材に対する液体噴射制御の終了後、前記ベルトを所定回転量だけ回転させる制御を実行する、ことを特徴とした液体噴射装置である。
【００１４】
液体噴射ヘッドの走査手段に駆動力を伝達するベルトは、被噴射材に対する液体噴射制御の実行中に回転する。したがって、少なくとも被噴射材に対する液体噴射制御を実行しているときは、ベルトに配設された液体吸収材に一定以上の静電気が帯電した状態が維持されるので、ミスト化した液体を液体吸収材で誘引して吸収することが可能な状態となる。しかし、被噴射材に対する液体噴射制御が終了してベルトが停止した状態になると、液体吸収材に帯電した静電気は、徐々に放電されて減少していくことになる。他方、ミスト化した液体は、被噴射材に対する液体噴射制御の終了後もしばらくの間は液体噴射装置の内部空間を浮遊していることが多い。
【００１５】
このようなことから本発明においては、被噴射材に対する液体噴射制御の終了後、ベルトを所定回転量だけ回転させる制御を実行するのが好ましい。それによって、被噴射材に対する液体噴射制御の終了後、その回転量に応じた帯電量でベルトの液体吸収材に静電気を帯電させることができる。すなわち、被噴射材に対する液体噴射制御の終了後、ミスト化した液体を液体吸収材で誘引して吸収することが可能な状態をより長時間持続させることができる。したがって、液体噴射装置の内部空間を浮遊するミスト化した液体を被噴射材に対する液体噴射制御の終了後においても効率的に低減させることができる。
【００１６】
本発明の第４の態様は、被噴射材の液体噴射面に液体を噴射する液体噴射ヘッドと、被噴射材に対して前記液体噴射ヘッドを相対的に走査させる走査手段と、回転駆動力源の駆動力を前記走査手段にベルトで伝達する駆動力伝達機構と、を備えた液体噴射装置において、前記ベルトに付着した液体を除去するためのベルトクリーニング手段と、被噴射材の液体噴射面に液体を噴射する制御を実行する制御装置とを備え、前記制御装置は、被噴射材に対する液体噴射制御の終了後、前記ベルトを所定回転量だけ回転させる制御を実行する、ことを特徴とした液体噴射装置である。
【００１７】
液体噴射ヘッドの走査手段に駆動力を伝達するベルトは、被噴射材に対する液体噴射制御の実行中に回転する。それによってベルトには、ベルトが掛架されるプーリや回転体等とそのベルトとの間に生ずる接触帯電や剥離帯電によって静電気が帯電する。したがって、少なくとも被噴射材に対する液体噴射制御を実行しているときは、ベルトに一定以上の静電気が帯電した状態が維持されるので、ミスト化した液体をベルトに吸着させてベルトクリーニング手段で回収することが可能な状態となる。しかし、被噴射材に対する液体噴射制御が終了してベルトが停止した状態になると、ベルトに帯電した静電気は徐々に放電されて減少していくことになる。他方、ミスト化した液体は、被噴射材に対する液体噴射制御の終了後もしばらくの間は液体噴射装置の内部空間を浮遊していることが多い。
【００１８】
本発明の第４の態様に記載の液体噴射装置において制御装置は、被噴射材に対する液体噴射制御の終了後、ベルトを所定回転量だけ回転させる制御を実行する。それによって、被噴射材に対する液体噴射制御の終了後、その回転量に応じた帯電量でベルトに静電気を帯電させることができる。すなわち、被噴射材に対する液体噴射制御の終了後、ミスト化した液体をベルトに吸着させてベルトクリーニング手段で回収することが可能な状態をより長時間持続させることができる。したがって、本発明の第４の態様に記載の液体噴射装置によれば、液体噴射装置の内部空間を浮遊するミスト化した液体を被噴射材に対する液体噴射制御の終了後においても効率的に低減させることができるという作用効果が得られる。
【００１９】
本発明の第５の態様は、前述した第３の態様又は第４の態様に記載の液体噴射装置において、前記制御装置は、当該被噴射材に対する液体噴射制御のモードに基づいて前記所定回転量を増減調整する、ことを特徴とした液体噴射装置である。
【００２０】
液体噴射装置の内部空間を浮遊するミスト化した液体の量は、例えば、一の被噴射材に噴射する液体の総噴射量が多くなるに従って増加する。また、被噴射材の液体噴射面に形成する液体ドットが小さくなるに従って、液体噴射ヘッドから噴射される液体は、よりミスト化しやすくなっていく。そのためミスト化する液体の量は、一の被噴射材に噴射する液体の総噴射量が同じであっても、被噴射材の液体噴射面に形成する液体ドットが小さくなるに従って増加する傾向となる。すなわち、被噴射材に対する液体噴射制御の終了後に浮遊するミスト化した液体の量は、その被噴射材に対する液体噴射制御の内容によって異なるとともに、その液体噴射制御の内容から推測することが可能である。
【００２１】
ここで、解像度、噴射する液滴の大きさ等、被噴射材に対する液体噴射制御の内容は、これらの内容が予め規定されている複数のモードから一のモードを選択することによって設定される。モードは、被噴射材の種類や大きさ、被噴射材の四辺に余白を設けるか否か等に応じて、ユーザによって任意にあるいは自動的に選択される。したがって、被噴射材に対する液体噴射制御の終了後に浮遊するミスト化した液体の量は、この液体噴射制御のモードから特定することができる。
【００２２】
このようなことから本発明においては、被噴射材に対する液体噴射制御のモードに基づいて前記の所定回転量を増減調整するのが好ましい。それによって、被噴射材に対する液体噴射制御を実行している間にミスト化する液体の量に応じて、液体噴射制御の終了後におけるベルト又は液体吸収材の帯電量を調整することが可能になる。すなわち、ミスト化した液体をベルト又は液体吸収材で誘引して回収可能な状態を液体噴射制御の終了後に持続させる時間を、その液体噴射制御中にミスト化した液体の量に応じて的確に調整することが可能になる。したがって、液体噴射装置の内部空間を浮遊するミスト化した液体を被噴射材に対する液体噴射制御の終了後においても効率的に低減しつつ、ベルトを回転させることによるベルトの摩耗や電力消費を必要最小限に止めることが可能になる。
【００２３】
本発明の第６の態様は、前述した第３の態様又は第４の態様に記載の液体噴射装置において、前記制御装置は、当該被噴射材に対する液体噴射制御のモードに基づいて、前記ベルトを前記所定回転量だけ回転させる制御を実行する際の前記ベルトの回転速度を設定する、ことを特徴とした液体噴射装置である。  
このように、液体噴射制御の終了後にベルトを所定回転量だけ回転させる制御を実行する際には、ベルトの回転速度を調整することによって、液体噴射制御の終了後におけるベルト又は液体吸収材の帯電量を調整するようにしても良い。このような態様においても本発明の第５の態様に記載の発明と同様の作用効果が得られる。
【００２４】
本発明の第７の態様は、前述した第３〜第６の態様のいずれかに記載の液体噴射装置において、前記制御装置は、当該液体噴射装置の電源ＯＦＦ操作を検出したときは、前記ベルトを前記所定回転量だけ回転させる制御を実行した後、当該液体噴射装置の電源ＯＦＦ制御を実行する、ことを特徴とした液体噴射装置である。
【００２５】
このような特徴によれば、液体噴射装置の電源ＯＦＦ後も一定時間、ベルト又は液体吸収材に静電気が帯電し続けるので、ミスト化した液体をベルト又は液体吸収材で誘引して回収可能な状態を液体噴射装置の電源ＯＦＦ後も一定時間持続させることができる。それによって、液体噴射装置の内部空間を浮遊しているミスト化した液体を液体噴射装置の電源ＯＦＦ後においても効率的に低減させることができる。
【００２６】
本発明の第８の態様は、前述した第７の態様に記載の液体噴射装置において、前記制御装置は、当該液体噴射装置の電源ＯＦＦ操作を検出したときは、直近の被噴射材に対する液体噴射制御の終了後に実行した前記ベルトを回転させる制御時の回転量より多い回転量又はそのときの回転速度より速い回転速度で前記ベルトを回転させる制御を実行する、ことを特徴とした液体噴射装置である。
【００２７】
このような特徴によれば、液体噴射装置の電源ＯＦＦ後におけるミスト化した液体の除去効果の持続時間をより長くすることが可能になるので、電源ＯＦＦ後の液体噴射装置の内部空間を浮遊しているミスト化した液体をさらに効率的に低減させることができる。また、直近の被噴射材に対する液体噴射制御に対応する回転量又は回転速度を基準とすることによって、液体噴射装置の電源ＯＦＦ操作を検出した時点におけるミスト化した液体の浮遊量を可能な限り正確に推測することが可能になる。したがって、液体噴射装置の電源ＯＦＦ後におけるミスト化した液体の除去効果の持続時間を、そのときのミスト化した液体の浮遊量に応じて的確に設定することができる。
【００２８】
本発明の第９の態様は、前述した第７の態様又は第８の態様に記載の液体噴射装置において、前記制御装置は、当該液体噴射装置の電源ＯＦＦ操作を検出したときに、直近の被噴射材に対する液体噴射制御の終了時から一定時間が経過している場合には、前記ベルトを回転させる制御を実行せずに当該液体噴射装置の電源ＯＦＦ制御を実行する、ことを特徴とした液体噴射装置である。
【００２９】
液体噴射装置の内部空間におけるミスト化した液体の浮遊量は、被噴射材に対する液体噴射制御中及びその直後が最も多いが、時間が経過するに従って徐々に沈静化して減少していく。そして、液体噴射制御の終了時から一定時間が経過した後の液体噴射装置の内部空間は、ミスト化した液体がほとんど浮遊していない状態となる。このようなことから本発明においては、電源ＯＦＦ操作を検出したときに直近の液体噴射制御の終了時から一定時間が経過している場合には、ベルトを回転させる制御を実行せずに液体噴射装置の電源ＯＦＦ制御を実行するのが好ましい。それによって、無駄なベルトの摩耗や電力消費を回避することが可能になる。
【発明を実施するための最良の形態】
【００３０】
以下、本発明の実施の形態を図面に基づいて説明する。
【００３１】
＜インクジェットプリンタの概略構成＞
まず、本発明に係る「液体噴射装置」としてのインクジェットプリンタ５０の概略構成について、図１及び図２を参照しながら説明する。  
図１は、インクジェットプリンタ５０の要部斜視図であり、図２は、その要部側面図である。
【００３２】
本発明に係るインクジェットプリンタ５０は、「被噴射材」としての記録紙Ｐをインクジェットプリンタ５０の内部へ給送する自動給送装置７０を備えている。また、インクジェットプリンタ５０は、プラテン５３に支持されている記録紙Ｐの記録面（液体噴射面）に「液体」としてのインクを噴射して記録を実行する「液体噴射ヘッド」としての記録ヘッド６２を備えている。さらに、インクジェットプリンタ５０は、記録紙Ｐに対して記録ヘッド６２を相対的に副走査方向Ｙへ走査させる「走査手段」を構成する搬送駆動ローラ５１、搬送従動ローラ５２、排出駆動ローラ５４及び排出従動ローラ５５を備えている。
【００３３】
自動給送装置７０は、給送用トレイ７１及び給送用ローラ７２を備えている。給送用トレイ７１は、複数の記録紙Ｐが積重された状態で載置されて収容される。給送用ローラ７２は、図示していない給送用モータの回転駆動力で回転する。給送用トレイ７１に積重された記録紙Ｐは、最上位にある記録紙Ｐが給送用ローラ７２の外周面に当接し、その給送用ローラ７２の回転により、搬送駆動ローラ５１と搬送従動ローラ５２との当接部分に先端が到達する位置まで給送される。
【００３４】
搬送駆動ローラ５１は、表面に高摩擦被膜が施されており、搬送用モータ５７の回転駆動力が伝達されて回転する。搬送従動ローラ５２は、従動回転可能に軸支され、図示していないばね等の付勢手段の付勢力で搬送駆動ローラ５１の外周面に当接している。自動給送装置７０により給送された記録紙Ｐは、搬送駆動ローラ５１と搬送従動ローラ５２とで挟持され、搬送駆動ローラ５１の駆動回転によってプラテン５３上を副走査方向Ｙへ搬送される。
【００３５】
記録ヘッド６２は、プラテン５３上の記録紙Ｐに対して記録ヘッド６２を相対的に主走査方向Ｘ（副走査方向Ｙと交差する方向）へ走査させる「走査手段」としてのキャリッジ６１の底部に配設されている。記録ヘッド６２のヘッド面には、インクを噴射するための多数の噴射ノズルが配設されている。キャリッジ６１は、記録ヘッド６２のヘッド面とプラテン５３上の記録紙Ｐの記録面とが略平行となる状態を維持しつつ主走査方向Ｘへ往復動可能に、キャリッジガイド軸５６に支持されている。
【００３６】
給送用ローラ７２と搬送駆動ローラ５１との間の給送路には、記録紙Ｐの副走査方向Ｙの先端位置及び後端位置を検出するための紙検出器３３が配設されている。また、キャリッジ６１の底部には、記録紙Ｐの主走査方向Ｘの両端位置を検出するためのＰＷセンサ３４が配設されている。電源スイッチ３５はインクジェットプリンタ５０の電源ＯＮ／ＯＦＦ操作を行うためのスイッチである。紙検出器３３、ＰＷセンサ３４及び電源スイッチ３５の出力信号は、記録制御部１００に入力される。
【００３７】
プラテン５３上の記録紙Ｐは、キャリッジ６１が主走査方向Ｘへ往復動しながら記録ヘッド６２のヘッド面から記録面にインクを噴射してドットを形成する動作と、搬送駆動ローラ５１の駆動回転により所定の搬送量で副走査方向Ｙへ搬送する動作とが交互に繰り返されることによって記録が実行される。そしてインク噴射後の記録紙Ｐは、排出駆動ローラ５４と排出従動ローラ５５とで挟持され、排出駆動ローラ５４の駆動回転により副走査方向Ｙへ搬送されて排出される。これらの一連の記録制御は、マイコン制御回路を有する「制御装置」としての記録制御部１００により実行される。
【００３８】
＜キャリッジ６１の駆動機構＞
つづいて、キャリッジ６１を主走査方向Ｘへ往復動させる機構について、引き続き図１及び図２を参照しながら説明する。
【００３９】
キャリッジ駆動用モータ（図示せず）の回転軸に配設された駆動プーリ（図示せず）と従動プーリ６３との間には、キャリッジベルト６４が掛架されている。キャリッジベルト６４は、例えばウレタン等で形成された無端ベルトである。キャリッジ６１には、このキャリッジベルト６４の一部が連結されている。従動プーリ６３は、従動プーリホルダ６３１を介して回転自在に軸支されている。キャリッジ６１は、キャリッジ駆動用モータが回転してキャリッジベルト６４が双方向回転することによって主走査方向Ｘへ往復動する（駆動力伝達機構）。
【００４０】
インクジェットプリンタ５０は、記録紙Ｐに対する記録ヘッド６２の相対的な主走査位置を検出するためのリニアエンコーダ３２を備えている。リニアエンコーダ３２は、リニアスケール３２１及びリニアスケールセンサ３２２を有している。リニアスケール３２１は、テープ状のスケール部材であり、多数のスリットが所定間隔で等間隔に形成されている。このリニアスケール３２１は、図示の如くキャリッジベルト６４に近接する位置に、キャリッジ６１の往復動方向（主走査方向Ｘ）と略平行に配設されている。リニアスケール３２１は、インクジェットプリンタ５０の筐体フレーム１１のサイドフレーム１３間に、コイルばね１２を介して張設されている。リニアスケールセンサ３２２は、リニアスケール３２１のスリットを検出可能なセンサであり、キャリッジ６１に搭載されている。リニアスケールセンサ３２２の出力信号は記録制御部１００に入力される。
【００４１】
＜搬送駆動ローラ５１及び排出駆動ローラ５４の駆動機構＞
つづいて、搬送駆動ローラ５１及び排出駆動ローラ５４を回転させて記録紙Ｐを副走査方向Ｙへ搬送する機構について、引き続き図１及び図２を参照しながら説明する。
【００４２】
搬送駆動ローラ５１の端部には歯車５１１が配設されている。また、排出駆動ローラ５４の回転軸５４１の端部には歯車５４２が配設されている。そして、搬送用モータ５７の駆動プーリ５７１、歯車５１１及び歯車５４２には、紙送りベルト５８が掛架されている。紙送りベルト５８は、例えばウレタン等で形成された無端ベルトである。搬送用モータ５７の回転駆動力は、この紙送りベルト５８を介して歯車５１１及び歯車５４２に伝達され、それによって搬送駆動ローラ５１及び排出駆動ローラ５４が回転する。
【００４３】
インクジェットプリンタ５０は、記録紙Ｐに対する記録ヘッド６２の相対的な副走査位置を検出するためのロータリエンコーダ３１を備えている。ロータリエンコーダ３１は、ロータリスケール３１１及びロータリスケールセンサ３１２を有している。ロータリスケール３１１は、円板状のスケール部材であり、多数のスリットが同心円上に等間隔に形成されている。このロータリスケール３１１は、歯車５１１に一体に設けられており、図示の如く紙送りベルト５８に近接する位置に配設されている。ロータリスケールセンサ３１２は、ロータリスケール３１１のスリットを検出可能なセンサであり、ロータリスケール３１１の近傍に配設されている。ロータリスケールセンサ３１２の出力信号は記録制御部１００に入力される。
【００４４】
＜第１実施例＞
本発明の第１実施例について、図３を参照しながら説明する。
【００４５】
図３は、本発明の第１実施例を図示したものであり、キャリッジベルト６４の一部を拡大図示した平面図である。  
本発明の第１実施例は、上記のインクジェットプリンタ５０において、キャリッジベルト６４の外周面にインク吸収材６５を設けたものである。インク吸収材６５は、インクジェットプリンタ５０の内部空間を浮遊するインクミストを吸収して保持するためのものである（液体吸収材）。インク吸収材６５の材料としては、例えばフェルトやウレタンスポンジ等を用いることができる。また、インク吸収材６５は、キャリッジベルト６４の外周面の一部に設けても良いが、より効率的にインクミストを回収する上ではキャリッジベルト６４の外周面の全周にわたって設けるのが好ましい。
【００４６】
キャリッジベルト６４を双方向に回転させることによって、キャリッジ６１を主走査方向Ｘへ往復動させることができる。そのときキャリッジベルト６４には、主に従動プーリ６３と接離する部分で生ずる接触帯電や剥離帯電によって静電気が帯電する。そして、キャリッジベルト６４に設けられたインク吸収材６５には、帯電したキャリッジベルト６４からの誘導帯電によって静電気が帯電することとなる。インクジェットプリンタ５０の内部空間を浮遊するインクミストは、この帯電したインク吸収材６５の静電気に誘引されてインク吸収材６５に捕捉される。したがって、インクジェットプリンタ５０の内部空間を浮遊するインクミストを低減させることができる。
【００４７】
さらに、インク吸収材６５に捕捉されたインクミストは、そのままインク吸収材６５に吸収されるため、インク吸収材６５の内部にしっかりと保持される。それによって、インク吸収材６５で捕捉したインクミストの一部がインクジェットプリンタ５０の内部空間に再飛散してしまうことを未然に防止することができる。したがって本発明によれば、インクジェットプリンタ５０の内部空間を浮遊するインクミストを効率的に低減させることができる。
【００４８】
＜第２実施例＞
本発明の第２実施例について、図４を参照しながら説明する。
【００４９】
図４は、本発明の第２実施例を図示したものであり、紙送りベルト５８が配設された部分を図示した斜視図である。  
本発明の第２実施例は、上記のインクジェットプリンタ５０において、搬送駆動ローラ５１及び排出駆動ローラ５４に駆動力を伝達するための紙送りベルト５８の外周面にインク吸収材５９を設けたものである。インク吸収材５９は、インクジェットプリンタ５０の内部空間を浮遊するインクミストを吸収して保持するためのものである（液体吸収材）。インク吸収材５９の材料としては、第１実施例のインク吸収材６５と同様に、例えばフェルトやウレタンスポンジ等を用いることができる。
【００５０】
紙送りベルト５８を回転させることによって、搬送駆動ローラ５１及び排出駆動ローラ５４を回転させることができる。そのとき紙送りベルト５８には、主に歯車５１１や歯車５４２と接離する部分で生ずる接触帯電や剥離帯電によって静電気が帯電する。そして、紙送りベルト５８に設けられたインク吸収材５９には、帯電した紙送りベルト５８からの誘導帯電によって静電気が帯電することとなる。インクジェットプリンタ５０の内部空間を浮遊するインクミストは、この帯電したインク吸収材５９の静電気に誘引されてインク吸収材５９に捕捉される。したがって、インクジェットプリンタ５０の内部空間を浮遊するインクミストを低減させることができる。
【００５１】
さらに、インク吸収材５９に捕捉されたインクミストは、そのままインク吸収材５９に吸収されるため、インク吸収材５９の内部にしっかりと保持される。それによって、インク吸収材５９で捕捉したインクミストの一部がインクジェットプリンタ５０の内部空間に再飛散してしまうことを未然に防止することができる。したがって本発明によれば、インクジェットプリンタ５０の内部空間を浮遊するインクミストを効率的に低減させることができる。
【００５２】
また本発明においては、必須の構成要素ではないが、インク吸収材５９に蓄積されたインクを除去してインク吸収材５９のインク吸収性能やインク保持性能等を回復させることが可能な「クリーニング手段」を設けるのが好ましい。より具体的には、例えば紙送りベルト５８のインク吸収材５９に摺接係合するインク除去部材５９１を設け、インク吸収材５９に保持されている固化したインクをインク除去部材５９１で掻き落として除去すれば良い（図４）。それによって、インク吸収材５９のインク吸収性能やインク保持性能等を常に一定以上に維持することが可能になるので、インク吸収材５９によるインクミストの除去効率が低下してしまうことを未然に防止することが可能になる。
【００５３】
＜第３実施例＞
第３実施例は、上記の第１実施例と第２実施例とを組み合わせたインクジェットプリンタ５０において、さらに記録紙Ｐに対する記録制御の終了後に、紙送りベルト５８及びキャリッジベルト６４を所定速度で所定回数だけ回転させる制御を記録制御部１００が実行するものである。このような制御を実行する目的は、記録紙Ｐに対する記録制御の実行後も依然としてインクジェットプリンタ５０の内部空間に浮遊しているインクミストを効率的に除去することである。以下、図５に図示したフローチャートを参照しながら説明する。
【００５４】
図５は、記録紙Ｐに対する記録制御の終了後に実行される制御のフローチャートである。  
まず、記録紙Ｐに対する記録制御が終了したか否かを判定する（ステップＳ１）。記録紙Ｐに対する記録制御がまだ終了していない場合には（ステップＳ１でＮｏ）、そのまま当該手順を終了する。他方、記録紙Ｐに対する記録制御が終了している場合には、記録終了後に、ユーザによるインクジェットプリンタ５０の電源ＯＦＦ操作が行われているか否かを判定する（ステップＳ２）。
【００５５】
電源ＯＦＦ操作が行われていない場合には（ステップＳ２でＮｏ）、つづいて、直前の記録紙Ｐに対する記録制御を実行したときの記録モードが専用紙モードであったか否かを判定する（ステップＳ３）。記録モードが専用紙モードでなかった場合には（ステップＳ３でＮｏ）、記録モードが普通紙モードである判定し、動作速度Ｓｃ１で動作回数Ｎｃ１だけキャリッジ６１を往復動させる（ステップＳ５）。他方、記録モードが専用紙モードであった場合には（ステップＳ３でＹｅｓ）、つづいて、直前の記録紙Ｐに対する記録制御が縁なし記録であったか否かを判定する（ステップＳ４）。縁なし記録でなかった場合には（ステップＳ４でＮｏ）、動作速度Ｓｃ２で動作回数Ｎｃ２だけキャリッジ６１を往復動させる（ステップＳ６）。縁なし記録であった場合には（ステップＳ４でＹｅｓ）、動作速度Ｓｃ３で動作回数Ｎｃ３だけキャリッジ６１を往復動させる（ステップＳ７）。
【００５６】
キャリッジ６１の往復動作（ステップＳ５、Ｓ６又はＳ７）の実行後、つづいて、紙詰まり等によってインクジェットプリンタ５０の内部に残留したままの記録紙Ｐがあるか否かを判定する（ステップＳ８）。残留している記録紙Ｐがある場合には（ステップＳ８でＹｅｓ）、その状態で搬送駆動ローラ５１を回転させると紙ジャムが生ずる虞があることから、そのまま当該手順を終了する。そして、残留している記録紙Ｐがない場合には（ステップＳ８でＮｏ）、回転速度Ｓｆ１で回転量Ｎｆ１に相当する回転量だけ搬送駆動ローラ５１を回転させる（ステップＳ９）。
【００５７】
他方、記録終了後にユーザによるインクジェットプリンタ５０の電源ＯＦＦ操作が行われていた場合には（ステップＳ２でＹｅｓ）、最後に記録紙Ｐに対する記録制御を実行した時点から所定時間が経過しているか否かを判定する（ステップＳ１１）。所定時間が経過している場合には（ステップＳ１１でＹｅｓ）、そのまま当該手順を終了し、所定時間が経過していない場合には（ステップＳ１１でＮｏ）、前記のステップＳ３及びＳ４と同様の手順を実行する（ステップＳ１２及びＳ１３）。
【００５８】
このとき、直近の記録紙Ｐに対する記録制御を実行したときの記録モードが普通紙モードであった場合には（ステップＳ１２でＮｏ）、動作速度Ｓｃ４で動作回数Ｎｃ４だけキャリッジ６１を往復動させる（ステップＳ１４）。他方、記録モードが専用紙モードであった場合には（ステップＳ１２でＹｅｓ）、縁なし記録でなかったときは動作速度Ｓｃ５で動作回数Ｎｃ５だけキャリッジ６１を往復動させ（ステップＳ１５）、縁なし記録であったときは動作速度Ｓｃ６で動作回数Ｎｃ６だけキャリッジ６１を往復動させる（ステップＳ１６）。
【００５９】
そして、キャリッジ６１の往復動作（ステップＳ１４、Ｓ１５又はＳ１６）の実行後、前記のステップＳ８及びＳ９と同様の手順を実行する（ステップＳ１７、Ｓ１８）。このとき、残留している記録紙Ｐがない場合には（ステップＳ１７でＮｏ）、回転速度Ｓｆ２で回転量Ｎｆ２に相当する回転量だけ搬送駆動ローラ５１を回転させる（ステップＳ１８）。
【００６０】
このように、記録紙Ｐに対する記録制御を実行した後、紙送りベルト５８、キャリッジベルト６４を所定回転速度（Ｓｃ１〜６、Ｓｆ１、２）で所定回転量（Ｎｃ１〜６、Ｎｆ１、２）だけ回転させる制御を実行する。それによって、記録紙Ｐに対する記録制御を実行した後、紙送りベルト５８のインク吸収材５９及びキャリッジベルト６４のインク吸収材６５に、その回転速度及び回転量に応じた帯電量で静電気を帯電させることができる。すなわち、記録紙Ｐに対する記録制御を実行した後において、紙送りベルト５８のインク吸収材５９及びキャリッジベルト６４のインク吸収材６５でインクミストを誘引して吸収することが可能な状態をより長時間持続させることができる。したがって、インクジェットプリンタ５０の内部空間を浮遊するインクミストを記録紙Ｐに対する記録制御を実行した後においても効率的に低減させることができる。
【００６１】
このとき、紙送りベルト５８及びキャリッジベルト６４の回転速度及び回転量は、上記説明したステップＳ３〜Ｓ７及びＳ１２〜Ｓ１６のような手順で、記録モード等に応じて増減調整するのが好ましい。ここで、「液体噴射制御のモード」としての記録モードについて説明する。インクジェットプリンタ５０の記録モードとしては、専用紙モードと普通紙モードとがあり、記録紙Ｐへの記録実行時には、記録紙Ｐの種類等に応じていずれかの記録モードが選択される。
【００６２】
専用紙モードは、主に写真用紙等の記録紙Ｐに画像記録を実行するための高精細モードであり、比較的小さいインクドットを記録紙Ｐの記録面に高密度に形成して高画質な記録を実行するモードである。また一般的に写真用紙等の専用紙は、記録面にコーティング等が施されているためインク吸収性が低い。このようなことから専用紙モードにおいては、比較的多くのインクミストが発生しやすくなる。また、専用紙モードにおいては、さらに縁なし記録か否かによってインクミストの発生量が異なってくる。縁なし記録の場合には、記録紙Ｐの外側にインクを打ち捨てながら記録が実行されることからインクミストの発生量がさらに増加する傾向となる。
【００６３】
他方、普通紙モードとは、主に普通紙等の記録紙Ｐにテキスト記録を実行するためのモードであり、記録紙Ｐの記録面に低密度にインクドットを形成して高速な記録を実行するモードである。また一般的に普通紙は、記録面にコーティング等が施されていないため、記録面のインク吸収性が高い。このようなことから普通紙モードにおいては、発生するインクミストの量は比較的少なく、ほとんど発生しない場合もある。
【００６４】
すなわち、記録紙Ｐへの記録実行時に発生するインクミストの量は、記録実行時における記録モード等の記録制御内容から推測することができる。例えば普通紙モードによる記録実行時より専用紙モードによる記録実行時の方が、インクミストの発生量は相対的に多くなる。さらに専用紙モードにおいては、縁なし記録実行時の方がインクミストの発生量は相対的に多くなる。また、各記録モードにおけるインクミストの発生量は、例えば記録実行直後のインクミストの浮遊量を各記録モードについて測定する実験等によって特定することが可能である。
【００６５】
したがって、例えばキャリッジ６１の動作速度Ｓｃ１〜３及び動作回数Ｎｃ１〜３は、記録紙Ｐへの記録実行時に発生するインクミストの量に応じた帯電量でキャリッジベルト６４のインク吸収材６５が帯電するように、記録モード等に応じて設定すれば良い。キャリッジ６１の動作速度及び動作回数とインク吸収材６５の帯電量との相関関係は、例えば、キャリッジ６１の動作速度及び動作回数を順次変更しながら帯電量を実測する実験等により特定することが可能である。例えば、Ｓｃ１＝Ｓｃ２＝Ｓｃ３としてＮｃ１＜Ｎｃ２＜Ｎｃ３となるように設定しても良いし、Ｎｃ１＝Ｎｃ２＝Ｎｃ３としてＳｃ１＜Ｓｃ２＜Ｓｃ３となるように設定しても良い。より具体的には、例えば動作回数Ｎｃ１〜３＝１０回で一定値とし、動作速度Ｓｃ１＝２００cps（1/10inch per sec）、動作速度Ｓｃ２＝３００cps、動作速度Ｓｃ３＝４００cpsとすれば良い。
【００６６】
尚、普通紙モードの場合には、インクミストの発生量が極めて少なくほとんど影響がない場合もある。そのような場合には、キャリッジ６１の動作回数Ｎｃ１、４を０に設定してキャリッジベルト６４の回転を全く行わないようにしても良い。さらに普通紙モードの場合には、紙送りベルト５８の回転をパスするステップを図５のフローチャートに追加しても良い。また、インクミストの発生量は記録紙Ｐのサイズによっても変動することから、キャリッジ６１の動作速度Ｓｃ１〜６及び動作回数Ｎｃ１〜６、搬送駆動ローラ５１の回転速度Ｓｆ１、２及び回転量Ｎｆ１、２は、記録紙Ｐのサイズに応じてさらに増減調整するようにしても良い。
【００６７】
このように、記録紙Ｐへの記録実行後に実行するキャリッジ６１の往復動の動作速度及び動作回数を記録モード等に応じて増減調整することによって、記録実行後におけるキャリッジベルト６４のインク吸収材６５の帯電量を記録紙Ｐへの記録実行時に発生したインクミストの量に応じて的確に増減調整することができる。すなわち、記録紙Ｐへの記録実行後において、キャリッジベルト６４のインク吸収材６５でインクミストを誘引して回収可能な状態を持続させる時間を、記録実行中に発生したインクミストの量に応じて的確に調整することが可能になる。したがって、インクジェットプリンタ５０の内部空間を浮遊するインクミストを記録紙Ｐへの記録実行後においても効率的に低減させつつ、記録実行後にキャリッジベルト６４を回転させることに起因したキャリッジベルト６４の摩耗や電力消費を必要最小限に止めることが可能になる。
【００６８】
また、インクジェットプリンタ５０の電源ＯＦＦ操作を検出したときには、所定の電源ＯＦＦ制御を実行する前に、上記説明したステップＳ１２〜Ｓ１８のような手順で紙送りベルト５８及びキャリッジベルト６４の回転制御を実行するのが好ましい。それによって、インクジェットプリンタ５０の電源ＯＦＦ後も一定時間、紙送りベルト５８のインク吸収材５９及びキャリッジベルト６４のインク吸収材６５に静電気が帯電し続けるので、これらでインクミストを誘引して回収可能な状態をインクジェットプリンタ５０の電源ＯＦＦ後も一定時間持続させることができる。したがって、インクジェットプリンタ５０の内部空間を浮遊しているインクミストをインクジェットプリンタ５０の電源ＯＦＦ後においても効率的に低減させることができる。
【００６９】
さらに、インクジェットプリンタ５０の電源ＯＦＦ操作を検出したときには、直近の記録制御後に実行した紙送りベルト５８及びキャリッジベルト６４を回転させる制御時の回転量より多い回転量又はそのときの回転速度より速い回転速度で、紙送りベルト５８及びキャリッジベルト６４を回転させる制御を実行するのが好ましい。それによって、インクジェットプリンタ５０の電源ＯＦＦ後におけるインクミスト除去効果の持続時間をより長くすることが可能になるので、電源ＯＦＦ後のインクジェットプリンタ５０の内部空間を浮遊しているインクミストをさらに効率的に低減させることができる。そして、このとき直近の記録制御後に紙送りベルト５８及びキャリッジベルト６４を回転させたときの回転量又は回転速度を基準とすることで、インクジェットプリンタ５０の電源ＯＦＦ操作を検出した時点におけるインクミストの浮遊量を可能な限り正確に推測することが可能になる。したがって、インクジェットプリンタ５０の電源ＯＦＦ後におけるインクミスト除去効果の持続時間を、そのときのインクミストの浮遊量に応じて的確に設定することができる。
【００７０】
例えば、キャリッジ６１の動作速度Ｓｃ１〜６を一定速度とした場合には、キャリッジ６１の動作回数Ｎｃ４〜６は、記録紙Ｐへの記録実行後におけるキャリッジ６１の動作回数Ｎｃ１〜３に対して相対的に多い回数に設定すれば良い。また例えば、キャリッジ６１の動作回数Ｎｃ１〜６を一定回数とした場合には、キャリッジ６１の動作速度Ｓｃ４〜６は、記録紙Ｐへの記録実行後におけるキャリッジ６１の動作速度Ｓｃ１〜３に対して相対的に速い回転速度に設定すれば良い。搬送駆動ローラ５１の回転速度Ｓｆ１、２及び回転量Ｎｆ１、２についても同様である。
【００７１】
さらに、インクジェットプリンタ５０の電源ＯＦＦ操作を検出したときに、直近の記録紙Ｐに対する記録制御の終了時から一定時間が経過している場合には（図５のステップ１１でＹｅｓの場合）、インクジェットプリンタ５０の内部空間にはインクミストがほとんど浮遊していない状態である場合が多い。このような場合には、紙送りベルト５８及びキャリッジベルト６４を回転させる制御を実行せずに、そのままインクジェットプリンタ５０の電源ＯＦＦ制御を実行するのが好ましい。それによって、無駄なベルトの摩耗や電力消費を回避することが可能になる。この記録制御の終了時からインクジェットプリンタ５０の内部空間にインクミストがほとんど浮遊していない状態になるまでの時間は、例えば実験等により測定すれば良い。
【００７２】
＜他の実施例＞
上記の第３実施例の変形例としては、例えば、紙送りベルト５８のインク吸収材５９又はキャリッジベルト６４のインク吸収材６５のいずれか一方のみを設けるようにしても良い。この場合の制御手順は、図５に図示したフローチャートにからインク吸収材を設けていないベルトの回転制御に関する手順を除いた手順とすれば良い。
【００７３】
また上記の第３実施例の変形例としては、紙送りベルト５８又はキャリッジベルト６４のインク吸収材に代えて、ベルトに付着したインクを除去して回収するベルトクリーニング手段を設けても良い。ベルトクリーニング手段としては、例えばベルトに付着したインクを掻き取る部材（例えば図４のインク除去部材５９１のような部材）を設ければ良い。あるいは、外周面にインク吸収材が施された従動ローラを紙送りベルト５８又はキャリッジベルト６４の外周面に当接する位置に配設しても良い。
【００７４】
尚、本発明は、上記説明した実施例に限定されることなく、特許請求の範囲に記載した発明の範囲内で種々の変形が可能であり、それらも本発明の範囲内に含まれるものであることは言うまでもない。
【図面の簡単な説明】
【００７５】
【図１】インクジェットプリンタの要部斜視図。
【図２】インクジェットプリンタの要部側面図。
【図３】キャリッジベルトの一部を拡大図示した平面図（第１実施例）。
【図４】紙送りベルトが配設された部分を図示した斜視図（第２実施例）。
【図５−１】記録制御の終了後に実行される制御のフローチャート（第３実施例）。
【図５−２】記録制御の終了後に実行される制御のフローチャート（第３実施例）。
【符号の説明】
【００７６】
５０  インクジェットプリンタ５０、５１  搬送駆動ローラ、５２  搬送従動ローラ、５３  プラテン、５４  排出駆動ローラ、５５  排出従動ローラ、５６  キャリッジガイド軸、５７  搬送用モータ、５８  紙送りベルト、５９  紙送りベルトのインク吸収材、６１  キャリッジ、６２  記録ヘッド、６３  従動プーリ、６４  キャリッジベルト、６５  キャリッジベルトのインク吸収材、１００  記録制御部、５９１  インク除去部材、Ｐ  記録紙、Ｘ  主走査方向、Ｙ  副走査方向
【図１】
2010082966.tif 000003
【図２】
2010082966.tif 000004
【図３】
2010082966.tif 000005
【図４】
2010082966.tif 000006
【図５−１】
2010082966.tif 000007
【図５−２】
2010082966.tif 000008